(57)【要約】【課題】引き回し電極が形成されている引き回し部において異常点灯が発生してしまうのを防止するとともに、両基板の間隙におけるギャップむらの発生を防止し、表示の高品質化を図る。【解決手段】第２透明基板２ｂの内面のうち各第１引き回し電極１０ａに対向する対向面に、各第１引き回し電極１０ａよりも幅寸法が短い複数の対向ダミー電極１５を、それぞれ他の電極から独立し各第１引き回し電極１０ａに対向する形状に形成し、各対向ダミー電極１５の間隙であって各第１引き回し電極１０ａに対向しない位置に、線間ダミー電極１６を設け、線間ダミー電極１６を、平面形状において折曲して形成し、長さ方向における途中の折曲部において分断する。【選択図】      図３
2008216358.tif 000002
【特許請求の範囲】
【請求項１】
一対の基板と、
前記両基板のうち第１基板における第２基板に対向する内面であって表示を行う表示領域に設けられた複数の第１表示電極と、
前記各第１表示電極から延設され表示を行わない非表示領域において引き回して設けられた第１引き回し電極と、
前記第２基板のうち前記第１基板に対向する内面における表示領域に、前記各第１表示電極に対向して設けられた複数の第２表示電極と、
前記各第２表示電極から延設され非表示領域における前記各第１引き回し電極に対向しない位置において引き回して設けられた第２引き回し電極とを有する表示パネルにおいて、
前記両基板の内面における前記各第１引き回し電極および前記各第２引き回し電極のうち少なくとも一方に対向する対向面に、対向して配置されている前記各引き回し電極よりも幅寸法が短い複数の対向ダミー電極が、それぞれ他の電極から独立し、前記引き回し電極に対応する位置にそれぞれ配置され、
前記各対向ダミー電極の間隙に、前記各引き回し電極に対向しない形状の線間ダミー電極が設けられていることを特徴とする表示パネル。
【請求項２】
前記線間ダミー電極は、長さ方向における途中において分断されている請求項１に記載の表示パネル。
【請求項３】
前記線間ダミー電極は、平面形状において折曲して形成されており、折曲部において分断されている請求項２に記載の表示パネル。
【請求項４】
前記線間ダミー電極は、直線部において分断されている請求項３に記載の表示パネル。
【発明の詳細な説明】
【技術分野】
【０００１】
本発明は表示パネルに係り、特に、一対の基板の内面における表示領域において対向して設けられた表示電極が、非表示領域において相互に対向しない位置に引き回された後、端子部に延設されている表示パネルに関する。
【背景技術】
【０００２】
従来より、電極が配設された一対の基板の所定の部分に、選択的に電界を与えて特定の図形や文字等の画像を表示する液晶表示パネル等の表示パネルが、コンピュータや携帯電話等の表示手段として多く用いられている。
【０００３】
図５（ａ）は、従来の表示パネルとしての液晶表示パネルのうち一方の基板の一例を示す模式的平面図、図５（ｂ）は、（ａ）の液晶表示パネルのうち他方の基板を示す模式的平面図である。
【０００４】
図５（ａ）（ｂ）に示すように、従来の液晶表示パネル２１は、一対の基板２２ａ、２２ｂを備えており、両基板２２ａ、２２ｂのうち一方の基板２２ａは、他方の基板２２ｂの一端縁から平面形状において突出して形成された突出部２３を有している。両基板２２ａ、２２ｂは、両基板２２ａ、２２ｂの内面における周縁部分に設けられた複数の導電粒子が添加されたシール材２５によって一体に形成されており、このシールに囲まれた面内には、図示しない液晶および複数のスペーサが封入されている。
【０００５】
両基板２２ａ、２２ｂの相互に対向する内面における液晶表示パネル２１として表示を行う表示領域２６には、それぞれ複数の表示電極２７ａ、２７ｂが設けられており、両基板２２ａ、２２ｂに配設された各表示電極２７ａ、２７ｂは、相互に対向して設けられている。各表示電極２７ａ、２７ｂは、表示を行わない非表示領域２８において延設されて引き回し電極３０ａ、３０ｂとされており、両基板２２ａ、２２ｂに配設された各引き回し電極３０ａ、３０ｂは、それぞれ対向しない位置に設けられている。さらに、一方の基板２２ａの各引き回し電極３０ａは、シール材２５の配置位置を介して突出部２３にいたるように延設されて端子電極３２ａとされているとともに、他方の基板２２ｂの各引き回し電極３０ｂは、シール材２５の配置位置のうち突出部２３に隣位する辺２５ａに至るように設けられ、突出部２３からシール材２５における突出部に隣位する辺２５ａにいたるように形成された端子電極３２ｂとシール材２５の導電粒子を介して導電接続されている。
【０００６】
両基板２２ａ、２２ｂの内面のうちシール材２５に囲まれた内部であって各引き回し電極３０ａ、３０ｂに対向する対向面には、他の電極から電気的に独立して形成された浮島状のダミー電極３５が設けられており、この浮島状のダミー電極３５は、例えば、両基板２２ａ、２２ｂにおける各引き回し電極３０ａ、３０ｂが設けられた引き回し部において、複数の引き回し電極３０ａ、３０ｂに対向するように大判状に形成されている。そして、この浮島状のダミー電極３５によって両基板２２ａ、２２ｂの間隙におけるギャップむらの発生を防止することにより、液晶表示パネル２１における表示の品質の向上を図っている。
【０００７】
しかし、前述のように従来の液晶表示パネル２１は、ダミー電極３５が複数の引き回し電極３０ａ、３０ｂに対向するように大判状に形成されている。このような液晶表示パネル２１においては、各表示電極２７ａ、２７ｂのＯＮおよびＯＦＦを切り替えたときに、１つのダミー電極３５のうちＯＮにされた表示電極２７ａ、２７ｂの各引き回し電極３０ａ、３０ｂに対向する部分とそれ以外の部分との面積の比率によっては、各引き回し電極３０ａ、３０ｂとダミー電極３５との間において異常点灯が発生してしまうおそれがあった。
【０００８】
このため、１つのダミー電極３５が複数の引き回し電極３０ａ、３０ｂに対向しないように、図６に示すように、独立した複数のダミー電極３６を、それぞれの引き回し電極３０ａ、３０ｂに対向する形状に形成することが行われている（例えば、特許文献１参照）。
【０００９】
【特許文献１】特開２００５−１６４７４０号公報
【発明の開示】
【発明が解決しようとする課題】
【００１０】
しかし、このような表示パネルにおいてダミー電極３６を前述の形状に形成すると、各ダミー電極３６の線間において両基板２２ａ、２２ｂの間隙におけるギャップむらが発生してしまうおそれがあるという問題を有していた。
【００１１】
本発明はこれらの点に鑑みてなされたものであり、引き回し電極が形成されている引き回し部において異常点灯が発生してしまうのを防止するとともに、両基板の間隙におけるギャップむらの発生を防止し、表示の高品質化を図ることが可能な表示パネルを提供することを目的とする。
【課題を解決するための手段】
【００１２】
前記目的を達成するため、本発明に係る表示パネルの特徴は、一対の基板と、前記両基板のうち第１基板における第２基板に対向する内面であって表示を行う表示領域に設けられた複数の第１表示電極と、前記各第１表示電極から延設され表示を行わない非表示領域において引き回して設けられた第１引き回し電極と、前記第２基板のうち前記第１基板に対向する内面における表示領域に、前記各第１表示電極に対向して設けられた複数の第２表示電極と、前記各第２表示電極から延設され非表示領域における前記各第１引き回し電極に対向しない位置において引き回して設けられた第２引き回し電極とを有する表示パネルにおいて、前記両基板の内面における前記各第１引き回し電極および前記各第２引き回し電極のうち少なくとも一方に対向する対向面に、対向して配置されている前記各引き回し電極よりも幅寸法が短い複数の対向ダミー電極が、それぞれ他の電極から独立し、前記引き回し電極に対応する位置にそれぞれ配置され、前記各対向ダミー電極の間隙に、前記各引き回し電極に対向しない形状の線間ダミー電極が設けられている点にある。
【００１３】
この本発明に係る表示パネルによれば、両基板の内面における第１引き回し電極および第２引き回し電極のうち少なくとも一方に対向する位置に、対向ダミー電極が、各引き回し電極に対応する形状に形成されており、各対向ダミー電極の線間には、線間ダミー電極が配設されている。このため、対向ダミー電極と線間ダミー電極とによって、両基板の間隙のギャップを均一に維持することができる。これとともに、対向ダミー電極および線間ダミー電極は、複数の引き回し電極に対向しないように配置されているので、対向ダミー電極および線間ダミー電極と各引き回し電極との間において異常点灯が発生してしまうのを防止することができる。
【００１４】
また、前記線間ダミー電極は、長さ方向における途中において分断されているとよい。このような構成を採用することにより、もし両基板の配置位置がずれてしまった場合であっても、複数の引き回し電極に対向してしまうのを防止することができ、これにより、線間ダミー電極と各引き回し電極との間において異常点灯が発生してしまうのを確実に防止することができる。
【００１５】
さらに、前記線間ダミー電極は、平面形状において折曲して形成されており、折曲部において分断されているとよく、さらには、直線部において分断されていてもよい。このように、線間ダミー電極を折曲部において分断することにより、複数の引き回し電極に対向してしまうのを確実に防止することができ、線間ダミー電極と各引き回し電極との間において異常点灯が発生してしまうのを確実に防止することができる。さらにまた、直線部においても線間ダミー電極を分断することによりさらに確実に複数の引き回し電極に対向してしまうのを防止し、線間ダミー電極と各引き回し電極との間において異常点灯が発生してしまうのを確実に防止することができる。
【発明の効果】
【００１６】
以上述べたように、本発明に係る表示パネルによれば、両基板の間隙のギャップを均一に維持するとともに、第１引き回し電極と対向ダミー電極および第１引き回し電極との間において異常点灯が発生してしまうのを防止することにより、一層高品質の表示を行うことができる。
【発明を実施するための最良の形態】
【００１７】
以下、本発明に係る表示パネルの一実施形態を図１から図４を参照して説明する。ここで、本実施形態においては、表示パネルとして液晶表示パネルを用いて説明するが、これに限定されるものではなく、他の表示パネルにも適用することが可能である。
【００１８】
図１は、本実施形態に係る液晶表示パネルを示す模式的平面図であり、図２（ａ）は、図１の液晶表示パネルにおける反視認側の基板を示す模式的平面図、図２（ｂ）は、図１の液晶表示パネルにおける視認側の基板を示す模式的平面図である。
【００１９】
図１、図２（ａ）（ｂ）に示すように、本実施形態に係る液晶表示パネル１は、ガラス等からなる一対の透明基板２を備えており、両透明基板２のうち反視認側に配置される第１透明基板２ａは、視認側に配置される第２透明基板２ｂの一端縁から平面形状において突出して形成された突出部３を有している。
【００２０】
両透明基板２は、相互に対向する内面における外周部分に枠状に設けられたシール材５によって一体に形成されており、シール材５には、図示しない複数の導電粒子が添加されている。また、両透明基板２およびシール材５に囲まれた内部には、図示しない液晶およびスペーサが封入されている。
【００２１】
第１透明基板２ａのうち第２透明基板２ｂに対向する内面における液晶表示パネル１として表示を行う表示領域６には、ＩＴＯ（Indium Tin Oxide：インジウムスズ酸化物）等からなる表示電極としての複数のセグメント電極７ａが配設されている。また、第２透明基板２ｂのうち第１透明基板２ａに対向する内面における表示領域６には、ＩＴＯ（Indium Tin Oxide：インジウムスズ酸化物）等からなる表示電極としての複数のコモン電極７ｂが配設されている。そして、各セグメント電極７ａおよび各コモン電極７ｂの相互に対向する表面には、それぞれラビング処理が施された配向膜（図示せず）が配設されている。
【００２２】
各セグメント電極７ａは、シール材５の配置位置の内側における液晶表示パネル１として表示を行わない非表示領域８において折曲して引き回された第１引き回し電極１０ａと接続されており、各第１引き回し電極１０ａの他端は、突出部３に形成されている第１端子電極１２ａと接続されている。一方、各コモン電極７ｂは、シール材５の配置位置の内側における非表示領域８のうち各第１引き回し電極１０ａが配設されている第１引き回し部１１ａに対向しない位置において折曲しながら引き回された第２引き回し電極１０ｂに接続され、各第２引き回し電極１０ｂの他端は、シール材５における突出部３側の辺３ａの配置位置にいたるように延設されている。そして、突出部３には、第２引き回し電極１０ｂに対応する第２端子電極１２ｂが、シール材５における突出部３側の辺３ａの配置位置にいたるように配設されており、各第２引き回し電極１０ｂと各第２端子電極１２ｂとは、シール材５の各導電粒子を介して導電接続されている。
【００２３】
第２透明基板２ｂの内面における第１引き回し電極１０ａに対応する位置には、図３に示すように、各第１引き回し電極１０ａよりも幅寸法が短い複数の対向ダミー電極１５が、それぞれ各第１引き回し電極１０ａに一対一で対向する形状に形成されており、各対向ダミー電極１５は、他の電極から電気的に独立して形成されている。また、各対向ダミー電極１５は、各第１引き回し電極１０ａの形状と同様に、平面形状において折曲して形成されている。
【００２４】
各対向ダミー電極１５の間隙であって各第１引き回し電極１０ａに対向しない位置には、細長形状の線間ダミー電極１６が配設されており、各線間ダミー電極１６は、各対向ダミー電極１５の線間において、各対向ダミー電極１５と同様に平面形状において折曲して形成されている。各線間ダミー電極１６は、長さ方向における途中であって、折曲して形成された折曲部において分断されている。なお、線間ダミー電極１６を分断する位置は、本実施形態のように折曲部に限定されるものではなく、直線部において分断してもよく、さらには、折曲部および直線部の複数箇所において分断されていてもよい。
【００２５】
次に、本実施形態の作用について説明する。
【００２６】
本実施形態においては、第２透明基板２ｂの内面における第１引き回し部１１ａに対応する位置に、対向ダミー電極１５が各第１引き回し電極１０ａに一対一で対応する形状に形成されており、各対向ダミー電極１５の線間には、線間ダミー電極１６が配設されている。このため、各対向ダミー電極１５と各線間ダミー電極１６とによって、両透明基板２の間隙のギャップを均一に維持することができるとともに、各対向ダミー電極１５および各線間ダミー電極１６は、複数の第１引き回し電極１０ａに対向しないように配置されているので、各対向ダミー電極１５および各線間ダミー電極１６と各第１引き回し電極１０ａとの間において異常点灯が発生してしまうのを防止することができる。
【００２７】
したがって、両透明基板２の間隙のギャップを均一に維持するとともに、各第１引き回し電極１０ａと各対向ダミー電極１５および各第１引き回し電極１０ａとの間において異常点灯が発生してしまうのを防止することにより、より高品質の表示を行うことができる。
【００２８】
また、各線間ダミー電極１６は、長さ方向における途中において分断して形成されているので、図４に示すように、もし両透明基板２の配置位置がずれてしまった場合であっても、各線間ダミー電極１６は分断されているので、複数の第１引き回し電極１０ａに、例えば線間ダミー電極１６の両側に位置する各第１引き回し電極１０ａに対向してしまうのを防止することができる。これにより、各線間ダミー電極１６と各第１引き回し電極１０ａとの間において異常点灯が発生してしまうのを確実に防止することができる。異常点灯が発生する要因は、電荷が流れる引き回し電極１２（１２ａ、１２ｂ）間に跨る線間ダミー電極１６が存在すること、上記跨る線間ダミー電極１６の引き回し電極１２と対向する面積が大きいことである。線間ダミー電極１６を分割することにより、両透明基板２の配置位置がずれても、異常点灯の発生を抑制することができる。
【００２９】
さらに、各線間ダミー電極１６を折曲部において分断することにより、複数の第１引き回し電極１０ａに対向してしまうのを確実に防止することができ、これにより、各線間ダミー電極１６と各第１引き回し電極１０ａとの間において異常点灯が発生してしまうのを確実に防止することができる。さらにまた、直線部においても各線間ダミー電極１６を分断することによりさらに確実に複数の第１引き回し電極１０ａに対向してしまうのを防止し、各線間ダミー電極１６と各第１引き回し電極１０ａとの間において異常点灯が発生してしまうのを確実に防止することができる。
【００３０】
なお、本発明は前記実施形態に限定されるものではなく、必要に応じて種々変更することが可能である。
【図面の簡単な説明】
【００３１】
【図１】本発明に係る表示パネルの一実施形態を示す模式的平面図
【図２】（a）は、図１の表示パネルにおける反視認側の基板を示す模式的平面図、（ｂ）は、図１の表示パネルにおける視認側の基板を示す模式的平面図
【図３】図２（ｂ）の視認側基板の要部を示す拡大した模式的平面図
【図４】図１の表示パネルにおいて両基板の配置位置がずれてしまった場合を示す拡大した模式的平面図
【図５】（ａ）は、従来の表示パネルのうち一方の基板の一例を示す模式的平面図、（ｂ）は、（ａ）の表示パネルのうち他方の基板を示す模式的平面図
【図６】従来の表示パネルの他の例における他方の基板の要部を示す拡大した模式的平面図
【符号の説明】
【００３２】
１  液晶表示パネル
２ａ  第１透明基板
２ｂ  第２透明基板
３  突出部
５  シール材
６  表示領域
７ａ  セグメント電極
７ｂ  コモン電極
８  非表示領域
１０ａ  第１引き回し電極
１０ｂ  第２引き回し電極
１１ａ  第１引き回し部
１２ａ  第１端子電極
１２ｂ  第２端子電極
１５  対向ダミー電極
１６  線間ダミー電極
【図１】
2008216358.tif 000003
【図２】
2008216358.tif 000004
【図３】
2008216358.tif 000005
【図４】
2008216358.tif 000006
【図５】
2008216358.tif 000007
【図６】
2008216358.tif 000008